(57)【特許請求の範囲】
【請求項１】
基布と、該基布に植設された複数の芝葉と、該芝葉の各植設部の間に粒状物が充填されて形成された充填層を備えた人工芝生が複数重ねて敷設された人工芝生敷設構造であって、基礎層の上方に第一の人工芝生が敷設され、該第一の人工芝生には植設された芝葉の略上端に至る厚みを有する第一の充填層が設けられるとともに、前記第一の充填層より大きな厚みに形成された第二の充填層を有する第二の人工芝生が前記第一の人工芝生の上面に敷設されており、
前記第一の充填層が１５ｍｍ以上３０ｍｍ以下の厚みで形成され、
前記第二の充填層が４０ｍｍ以上１１０ｍｍ以下の厚みで形成されて、
投擲競技の投擲用具の挿入を槍投げ競技の槍であってもそれぞれ第一の充填層と第二の充填層とで停止させるようにしたことを特徴とする人工芝生敷設構造。
【請求項２】
前記第二の充填層の最上面には、弾性を有する粒状物を含む表層が形成されていることを特徴とする請求項１に記載の人工芝生敷設構造。
【発明の詳細な説明】
【技術分野】
【０００１】
本発明は、芝葉が植設され、その間に粒状物が充填された充填層を備えた人工芝生が敷設された人工芝生敷設構造に関するものである。
【背景技術】
【０００２】
従来、この種の人工芝生は各種スポーツを行うために広く用いられている。
【０００３】
例えば、特許文献１には、基布にパイルが植設され、そのパイル長が１３０ｍｍ以上かつ該基布上の該パイル間に充填された充填物の厚さが１００ｍｍ以上で、該充填物の上面からの該パイルの突出長が１５ｍｍ以上３０ｍｍ以下であるとともに、
前記充填物は、弾性粒状物から成る下層、固結防止剤と前記弾性粒状物と硬質粒状物との混合物から成る中間層及び前記硬質粒状物から成る上層の３層をなすことを特徴とする人工芝、が開示されている。
【先行技術文献】
【特許文献】
【０００４】
【特許文献１】特開２００９−１３８４０３号公報
【発明の概要】
【発明が解決しようとする課題】
【０００５】
特許文献１に開示される人工芝は、充填物を厚く設けて槍投げなどの競技にも対応可能に構成されているが、１３０ｍｍ以上もの長さでパイルを植設可能な設備を用いる必要があり、製造を容易に行えないという問題点があった。
【０００６】
そこで本発明は、容易に製造可能で、投擲競技が実施できる人工芝生競技場を提供するものである。
【課題を解決するための手段】
【０００７】
上記目的を達成するため、本発明は以下のような構成としている。
すなわち本発明に係る人工芝生敷設構造は、基布と、該基布に植設された複数の芝葉と、該芝葉の各植設部の間に粒状物が充填されて形成された充填層を備えた人工芝生が複数重ねて敷設された人工芝生敷設構造であって、基礎層の上方に第一の人工芝生が敷設され、該第一の人工芝生には植設された芝葉の略上端に至る厚みを有する第一の充填層が設けられるとともに、前記第一の充填層より大きな厚みに形成された第二の充填層を有する第二の人工芝生が前記第一の人工芝生の上面に敷設されており、
前記第一の充填層が１５ｍｍ以上３０ｍｍ以下の厚みで形成され、
前記第二の充填層が４０ｍｍ以上１１０ｍｍ以下の厚みで形成されて、
投擲競技の投擲用具の挿入を槍投げ競技の槍であってもそれぞれ第一の充填層と第二の充填層とで停止させるようにしたことを特徴としている。
また、前記第二の充填層の最上面には、弾性を有する粒状物を含む表層が形成されていることを特徴としている。
【０００８】
本発明に係る人工芝生敷設構造によれば、植設された芝葉の略上端に至る厚みの第一の充填層を第一の人工芝生に設けるので、第一の充填層の厚みを芝葉の長さに調整しやすく、その厚みを全体的に均一なものにできる。
また、植設された芝葉の略上端に至る厚みの第一の充填層を第一の人工芝生に設けるので、第一の充填層が第二の人工芝生に接触することによって、第一の人工芝生と第二の人工芝生との摩擦が大きくなり、それぞれの位置ずれが生じにくいものとなる。
また、第二の人工芝生に設ける第二の充填層を、第一の充填層より大きな厚みに形成するので、槍投げなどの投擲競技を行っても、投擲用具の挿入が第二の充填層で止まり、また、第二の人工芝生を貫通しても第一の充填層で投擲用具を停止させ、投擲用具の損傷などを抑制させることができる。
また、第一の充填層は第一の人工芝生の芝葉の間に充填されるので、粒状物の変位が芝葉によって抑制され、より投擲用具を貫通させにくいものとし、第一の充填層の厚みの変動を抑制させている。
【０００９】
また、前記第二の人工芝生の芝葉の上端を前記第二の充填層の上面より１０ｍｍ以上突出して設けてもよく、人工芝生としての美観が良好なものとできる。
また、前記第二の人工芝生の芝葉を５０ｍｍ以上１２０ｍｍ以下の長さに形成してもよく、充填層の粒状物の飛散を防止することができ、また人工芝生の芝葉を容易に製造することができるので、好ましい。
また、前記第二の充填層を４０ｍｍ以上の厚みに形成するので、投擲競技の投擲用具が容易にこれを貫通しにくくなる。
また、前記第二の充填層を１１０ｍｍ以下の厚みに形成するので、芝葉を１２０ｍｍ程度の長さに植設した第二の人工芝生の芝葉の上端を第二の充填層の上面から突出させることができ、美観を良好に構成できる。
【００１０】
また、前記第一の充填層を硬質な粒状物で形成してもよく、ハンマーや砲丸等の比較的重量の大きな投擲用具が第二の人工芝生に落下しても、これを第一の充填層が弾ませることがなく、投擲用具の不必要な移動を抑制することができる。また、投擲用具が第二の人工芝生を貫通した場合でも、第一の充填層の硬質な粒状物の変位によって投擲用具の衝撃を緩和させ、不必要に移動させることなく投擲競技用具を停止させることができる。
【００１１】
また、前記第二の充填層を硬質な粒状物で形成してもよく、槍や円盤等の比較的軽量な投擲用具が第二の人工芝生の上に落下してもこれを反発させて弾ませることがなく、第二の充填層の硬質な粒状物の変位によって投擲用具の衝撃を緩和させ、不必要に移動させることなく投擲用具を停止させることができる。
【発明の効果】
【００１２】
従来よく用いられている設備で容易に製造可能な人工芝生を用いて、投擲競技を実施できる人工芝生敷設構造を構成できる。
【図面の簡単な説明】
【００１３】
【図１】本発明に係る人工芝生敷設構造の実施の一形態を示す断面図である。
【図２】本発明に係る人工芝生敷設構造の実施の他の一形態を示す断面図である。
【発明を実施するための形態】
【００１４】
本発明の実施の一形態を図面に基づき具体的に説明する。
図面において１は基礎層である。
基礎層１は大径砕石体とこれよりも小径の小径砕石体とからなり、表面が平坦面に形成されると共に固結剤によって固結されて構成されている。具体的には、基礎層１は大径砕石体を敷き詰めた上から、その表面がより平坦となるように小径砕石体を敷き詰め、弾性を有する固結剤によって各小径砕石体同士を網目状に連結して固結一体化することによって構成されている。
固結剤としては、液体バインダー或いは合成樹脂バインダーを好適に用いることが出来、本実施形態ではウレタン樹脂に溶剤を含有させたウレタンバインダーを用いている。
本実施形態では、基礎層１を上記のように砕石体と固結剤で構成させているが、これに限るものではなく、表面を平坦面に形成できる方法を好適に用いることができ、アスファルトコンクリートや透水コンクリートの打設によって形成させてもよく、他の方法を用いてもよい。
【００１５】
２は第一の人工芝生である。
第一の人工芝生２は、基布２２の表面側に複数の芝葉２１が植設され、この植設された芝葉２１を固定するためのバッキング材２３が基布２２の裏面側に設けられて構成されている。本実施形態では第一の人工芝生２は、ポリプロピレン製の平織りの織布を用いた基布２２に、８０００デシテックス、厚さ０．０６５ｍｍのポリプロピレン製のスプリットヤーンの芝糸を、パイル長１９ｍｍのカットパイル状に植設して芝葉２１を形成し、基布２２の裏面にＳＢＲ等のバッキング材２３を塗布して前記芝葉２１を固定して構成されている。
【００１６】
第一の人工芝生２の基布２２に植設された各芝葉２１の間には、硬質の粒状物を芝葉２１の上端付近まで充填させて第一の充填層２４を形成させている。本実施形態では、ＪＩＳ標準砂の５号珪砂を用いて第一の充填層２４を形成している。
【００１７】
３は第二の人工芝生である。
第二の人工芝生３は、基布３２の表面側に複数の芝葉３１が植設され、この植設された芝葉３１を固定するためのバッキング材３３が基布３２の裏面側に設けられて構成されている。本実施形態では第二の人工芝生３は、ポリプロピレン製の平織りの織布を用いた基布３２に、２０００デシテックスのポリエチレン製モノフィラメントの芝糸を、パイル長９０ｍｍのカットパイル状に植設して芝葉３１を形成し、基布３２の裏面にウレタン樹脂等のバッキング材３３を塗布して前記芝葉３１を固定して構成されている。
【００１８】
第二の人工芝生３の基布３２に植設された各芝葉３１の間には、硬質の粒状物を充填させた第二の充填層３４を形成させている。本実施形態の第二の充填層３４は、基布３２の上面にＪＩＳ標準砂の４．５号珪砂を充填して形成させた下充填層３４ａと、この上面にＪＩＳ標準砂の３号珪砂を充填して形成させた上充填層３４ｂとで構成させている。下充填層３４ａの上面に、より小径の粒状物を用いた上充填層３４ｂを設けることで、第二の充填層３４の上面がより平滑に仕上げることができる。
また、本実施形態では、下充填層３４ａを５０ｍｍの厚さに構成させ、上充填層３４ｂを２０ｍｍの厚さに構成させて、第二の充填層３４を７０ｍｍの厚さに形成させている。これにより、第二の充填層３４の上面より芝葉３１が２０ｍｍ程度突出するように設けられ、人工芝生としての美観を良好なものにしている。
【００１９】
また、第二の充填層３４を７０ｍｍの厚さに形成するので、砲丸投げや槍投げなどの投擲競技を行ったときに、砲丸や槍などの投擲競技の投擲用具が落下しても第二の充填層３４で投擲教具の挿入が停止されて、基布３２を貫通することが抑制される。第二の充填層３４は投擲用具の衝撃や接触による基布３２の損傷を抑制するために４０ｍｍ以上の厚みに形成するのが好ましい。また、人工芝生としての美観を良好にするために、第二の充填層３４の上面から芝葉３１が１０ｍｍ以上程度突出しているのが望ましいが、芝葉３１がより長くなるほど植設などの工程が困難になるので、芝葉３１は１２０ｍｍ以下の長さに形成するのが好ましい。このため、第二の充填層３４の厚みは１１０ｍｍ以下の厚みに形成するのが好ましい。
【００２０】
また、万が一槍などの投擲用具が基布３２を貫通した場合でも、その下方に形成された第一の充填層２４が投擲用具の挿入を停止させ、基礎層への接触を防ぎ、投擲用具の損傷を抑制するように構成されている。第一の充填層２４は、基布３２を貫通した投擲用具を停止させるために１５ｍｍ以上の厚みに形成するのが好ましい。
また、第一の充填層２４は、第二の充填層３４で停止させる投擲用具が基布３２を貫通してしまったときの備えであるので、第二の人工芝生３で投擲用具の挿入が止まるように第二の充填層３４の厚みを第一の充填層２４より大きく形成するのが好ましく、第一の人工芝生２の施工の負荷低減の観点から第一の充填層２４を３０ｍｍ以下の厚みに形成するのが好ましい。
また本実施形態では、第一の充填層をＪＩＳ標準砂の５号珪砂で形成させ、第二の充填層の下層と上層とをそれぞれ４．５号珪砂と３号珪砂で形成させている。このように、人工芝敷設構造の各充填層を、上方から下方に行く程その大きさを段階的に小さくすることで下方に至る程投擲用具が挿入されにくくなり、投擲用具などが各充填層に挿入したときに、その衝撃を緩和させつつ挿入させ、投擲用具の挿入深さをより浅くできる。
【００２１】
本実施形態では、第一の充填層２４を芝葉２１の上端に至るように形成させているが、これに限るものではなく、第一の充填層２４の上面から芝葉２１の上端が突出するように形成させてもよい。しかし、第一の充填層２４から突出した芝葉２１が、その上面に敷設される第二の人工芝生３のバッキング材３３に接触し、第一の人工芝生２の上面で第二の人工芝生３が滑り、位置ずれしやすくなる可能性が懸念されるため、第一の充填層２４は芝葉２１の上端に至るように形成されるのが好ましい。また、第一の充填層２４を芝葉２１の上端に至るように形成することで、芝葉２１の長さに対応した厚みに第一の充填層２４を形成するので、第一の充填層２４の厚みを全体的に均一に形成することが容易にでき、その上方の第二の人工芝生３の美観を良好にできる。
【００２２】
また、本実施形態では第一の人工芝生２の芝葉２１をスプリットヤーンで形成しているが、これに限るものではなく、スプリットを形成せずに最初から芝葉の幅寸法にスリットしたフィルム形状のスリットヤーンで形成させてもよく、フィルム形状以外の断面形状に押出成形させたモノフィラメントのヤーンに形成させてもよい。しかし、芝葉２１は、主としてその間に設けられる第一の充填層２４の粒状物の横方向への移動を抑制させるものであり、この機能は芝葉２１の幅が大きいほど期待できるため、広幅の芝葉をより容易に形成できるのが好ましく、芝葉２１をスプリットヤーンで形成するのが好ましい。
また、本実施形態では芝葉２１をポリプロピレンで形成させているが、これに限るものではなく、これ以外のポリエチレン等のオレフイン系合成樹脂やポリアミド、ポリ塩化ビニリデン、ポリエステル等の適宜合成樹脂材料を好適に用いることができる。
【００２３】
また、本実施形態では、第一の充填層２４、および第二の充填層３４を、それぞれ珪砂のみで形成させているが、これに限るものではなく、川砂や山砂等の砂、炭酸カルシウム、ガラス等の無機粒状物や人工の砂土、合成樹脂等の硬質の粒状物を単体または組み合わせて適宜使用することができる。また、各充填層において、上記の硬質の粒状物のみならず、天然又は合成ゴムチップ、発泡又は無発泡の合成樹脂粒状物、コルクチップ、タイヤの粉砕物等の弾性を有する粒状物を単体または組み合わせて用いてもよいが、各充填層が弾性を有すると、投擲用具が充填層に落下したときに反発して弾み、落下位置から位置ずれする可能性が懸念される。このため、各充填層は硬質の粒状物を主体として形成するのが好ましく、硬質の粒状物のみで形成するのがより好ましい。
【００２４】
また、本実施形態では第二の人工芝生３の芝葉３１をモノフィラメントヤーンで形成しているが、これに限るものではなく、スプリットヤーンやスリットヤーンを単体または組み合わせて形成させてもよい。しかし、芝葉３１は第二の充填層３４の上面から突出して人工芝生の外観を構成する重要な要素となり、また競技者に直接ふれる要素でもあるので、より意匠性や触感を高めて形成できるモノフィラメントヤーン、又はスリットヤーンを用いるのが好ましい。
また、本実施形態では芝葉３１をポリエチレンで形成させているが、これに限るものではなく、これ以外のポリプロピレン等のオレフイン系合成樹脂やポリアミド、ポリ塩化ビニリデン、ポリエステル等の適宜合成樹脂材料を好適に用いることができる。
【００２５】
また、本実施形態では、第一の人工芝生２の基布２２、および第二の人工芝生３の基布３２に、それぞれポリプロピレン製の平織りの織布を用いているが、芝葉を植設可能であればこれに限るものではない。例えば、ポリエチレン製の織布など材質や織り方を変更しても良く、不織布などを用いてもよく、これ以外のシート体を用いてもよい。
【００２６】
また、第一の人工芝生２の上面に第二の人工芝生３を敷設させて、それぞれに設けた各充填層で投擲競技の投擲用具を停止させるように構成させているので、この人工芝生が経年劣化や損傷などしたときに、下方の第一の人工芝生２をそのまま残し、上方の第二の人工芝生３のみを除去して新しいものに交換して敷設させ、人工芝生を継続して使用することができる。このように、基礎層から上に設けられた人工芝生を全て交換することなく、より少ない部材の交換のみでメンテナンスを行うことができるので、好ましい。
また、本実施形態では第一の人工芝生２と第二の人工芝生３とで本発明の人工芝生敷設構造を構成しているが、必要に応じて第一の人工芝生２の下方に新たな人工芝生を更に敷設させて設けてもよい。
【００２７】
また、第一の人工芝生２の上面に第二の人工芝生３を敷設させ、投擲用具の挿入をそれぞれ第一の充填層２４と第二の充填層３４とで停止させるよう構成しているので、第二の人工芝生のみを敷設させる場合と比較して、第二の充填層３４の厚みを小さくでき、第二の人工芝生３の芝葉３１の長さを短く形成できる。芝葉３１の長さをより短く形成することで、芝葉３１が基布３２の斜め上方に傾いて立設された状態となっても芝葉３１の上端までの高さの変動をより小さなものにできるので、芝葉３１の上端が第二の充填層３４に埋設されてしまい第二の人工芝生３の美観を損ねるような問題を抑制できる。また、芝葉３１の長さをより短く形成することで、芝葉３１が基布３２の斜め上方に傾いて立設された状態となっても、基布３２における芝葉３１の植設位置とその芝葉３１の上端との水平方向の位置ずれがより小さいものになされるので、第二の充填層３４の上面から突出した各芝葉３１の並びが、より植設位置の並びに近いものとなされ、第二の人工芝生３の美観をより良好なものにできる。
【００２８】
また、第一の人工芝生２の上面に第二の人工芝生３を敷設させ、投擲用具の挿入をそれぞれ第一の充填層２４と第二の充填層３４とで停止させるよう構成しているので、基礎層１に不陸があった場合でも、第一の人工芝生２の敷設の際にこれを修正できるので、第二の人工芝生３のみを基礎層１に敷設させる場合と比較してより容易に不陸の修正が実施でき、また第二の人工芝生３の美観をより良好なものにできる。
【００２９】
図２は本発明に係る人工芝生敷設構造の実施の他の一形態を示す断面図である。
本実施形態は、第二の人工芝生３に設けられた第二の充填層３４において、上層３４ｂのさらに上面に弾性を有する粒状物で形成させた表層３４ｃを設けた点が、図１に示す実施形態と異なる事項である。
投擲競技を行う上では、第二の充填層３４および第一の充填層２４は弾性を持たない方が望ましいが、サッカーなどの競技をも行うような競技場においては、競技者に直接接触する最上面の充填層に弾性を付与し、競技者が転倒などして擦過傷などを負う可能性を低減させるのが好ましい。
【００３０】
本実施形態では、第二の充填層３４の上層３４ｂの上に、タイヤの粉砕物を５ｍｍの厚みに充填して表層３４ｃを形成させている。表層３４ｃを構成する弾性を有する粒状物は、これに限るものではなく、天然又は合成ゴムチップ、発泡又は無発泡の合成樹脂粒状物、コルクチップ、タイヤの粉砕物等の弾性を有する粒状物を単体または組み合わせて用いてもよい。表層３４ｃを構成する粒状物に硬質の粒状物を含有させても良いが、競技者の保護の観点から、弾性を有する粒状物を主体として形成するのが好ましく、弾性を有する粒状物のみで形成するのがより好ましい。
【００３１】
また、本実施形態では表層３４ｃを５ｍｍの厚みに形成しているがこれに限るものではなく、厚みを適宜調整して設けても良い。しかし、表層３４ｃは投擲用具を弾ませない程度に形成されるのが望ましく、１０ｍｍ以下の厚みに形成するのが好ましい。
【符号の説明】
【００３２】
１    基礎層
２    第一の人工芝生
２１  芝葉
２２  基布
２３  バッキング材
２４  第一の充填層
３    第二の人工芝生
３１  芝葉
３２  基布
３３  バッキング材
３４  第二の充填層
【図１】
0005908143.tif 000002
【図２】
0005908143.tif 000003